(57)【特許請求の範囲】
【請求項１】
ソース基地局とターゲット相手側が管轄するセルの間における端末の切り替えに用いられる、セル間の再選択用パラメータと切替用パラメータとの整合の判断方法であって、
前記ターゲット相手側が、前記端末が滞在したセルの識別子と当該セルに滞在した時間長とを含む前記端末の履歴情報が付加されている切替要求メッセージまたは再位置付け要求メッセージを、前記ソース基地局から受信するステップと、
前記ターゲット相手側が、前記切替要求メッセージまたは再位置付け要求メッセージに基づいて、無線リソース制御の確立が完了した直後に前記端末のセル切り替えが行われた割合を集計し、前記履歴情報に含まれる前記セル識別子が唯一のものであり、かつ、前記端末が前記セルに滞在した時間が所定の時間長よりも短い場合に、無線リソース制御の確立が完了した直後に前記端末のセル切り替えが行われたことを確定するステップと、
前記割合が閾値を超えた場合に、前記ソース基地局と前記ターゲット相手側との間の対応するセル間の再選択用パラメータと切替用パラメータとが整合しないと確定して、前記割合が前記閾値を超えていない場合に、前記セル間の再選択用パラメータと切替用パラメータとが整合すると確定するステップと、
を含むことを特徴とするセル間の再選択用パラメータと切替用パラメータとの整合の判断方法。
【請求項２】
前記セル間の再選択用パラメータと切替用パラメータとが整合しないと確定した場合に、前記ターゲット相手側が、前記セル間の再選択用パラメータと切替用パラメータとが整合しない旨の指示情報が付加されている通知メッセージを、前記ソース基地局または運用・保守システムに送信するステップを、
さらに含むことを特徴とする請求項１に記載のセル間の再選択用パラメータと切替用パラメータとの整合の判断方法。
【請求項３】
前記ターゲット相手側が、前記通知メッセージを前記ソース基地局または運用・保守システムに送信した後、前記ソース基地局または前記運用・保守システムが、前記ターゲット相手側からの通知メッセージを受信し、前記通知メッセージに基づいて前記セル間の再選択用パラメータ及び／又は切替用パラメータを補正するステップを、
さらに含むことを特徴とする請求項２に記載のセル間の再選択用パラメータと切替用パラメータとの整合の判断方法。
【請求項４】
前記ターゲット相手側が、前記ソース基地局から前記切替要求メッセージまたは再位置付け要求メッセージを受信する前に、前記ソース基地局が、Ｓ１インターフェースにおけるメッセージ、Ｘ２インターフェースにおけるメッセージ、およびシステム間での通知メッセージのうちの１つを介して前記所定の時間長を前記ターゲット相手側に通知するステップを、
さらに含むことを特徴とする請求項１に記載のセル間の再選択用パラメータと切替用パラメータとの整合の判断方法。
【請求項５】
前記ターゲット相手側は、ターゲット基地局、ターゲット無線ネットワークコントローラ、およびターゲット基地局システムのうちの１つを含む
ことを特徴とする請求項１に記載のセル間の再選択用パラメータと切替用パラメータとの整合の判断方法。
【請求項６】
前記ターゲット相手側が前記ターゲット基地局である場合、
前記ターゲット相手側が前記ソース基地局からの切替要求メッセージを受信することは、
前記ターゲット基地局が、移動管理エンティティを介して前記ソース基地局からの切替要求メッセージを受信すること、を含む
ことを特徴とする請求項５に記載のセル間の再選択用パラメータと切替用パラメータとの整合の判断方法。
【請求項７】
前記ターゲット相手側が前記ターゲット無線ネットワークコントローラである場合、
前記ターゲット相手側が前記ソース基地局からの再位置付け要求メッセージを受信することは、
コアネットワークが、前記ソース基地局からの前記切替要求メッセージを受信し、前記ターゲット無線ネットワークコントローラに前記再位置付け要求メッセージを送信することと、
前記ターゲット無線ネットワークコントローラが前記コアネットワークからの前記再位置付け要求メッセージを受信することと、を含む、
ことを特徴とする請求項５に記載のセル間の再選択用パラメータと切替用パラメータとの整合の判断方法。
【請求項８】
前記ターゲット相手側が前記ターゲット基地局システムである場合、
前記ターゲット相手側が前記ソース基地局からの切替要求メッセージを受信することは、
前記ターゲット基地局システムが、コアネットワークを介して前記ソース基地局から切替要求メッセージを受信すること、を含む
ことを特徴とする請求項５に記載のセル間の再選択用パラメータと切替用パラメータとの整合の判断方法。
【請求項９】
ソース基地局とターゲット相手側が管轄するセルの間における端末の切り替えに用いられる、セル間の再選択用パラメータと切替用パラメータとの整合の判断装置であって、
前記端末が滞在したセルの識別子と当該セルに滞在した時間長とを含む前記端末の履歴情報が付加されている切替要求メッセージまたは再位置付け要求メッセージを、前記ソース基地局から受信する受信モジュールと、
前記切替要求メッセージまたは再位置付け要求メッセージに基づいて、無線リソース制御の確立が完了した直後に前記端末のセル切り替えが行われた割合を集計し、前記履歴情報に含まれる前記セル識別子が唯一のものであり、かつ、前記端末が前記セルに滞在した時間が所定の時間長よりも短い場合に、無線リソース制御の確立が完了した直後に前記端末のセル切り替えが行われたことを確定する集計モジュールと、
前記集計モジュールにより集計された、無線リソース制御の確立が完了した直後に前記端末のセル切り替えが行われた割合が閾値を超えたかを判断する判断モジュールと、
前記判断モジュールによる判断結果に基づいて、前記ソース基地局と前記ターゲット相手側との間のセル間の再選択用パラメータと切替用パラメータとが整合するかを確定する確定モジュールと、
を備えることを特徴とするセル間の再選択用パラメータと切替用パラメータとの整合の判断装置。
【請求項１０】
前記確定モジュールは、
前記判断モジュールによる判断の結果として前記割合が前記閾値を超えた場合に、前記セル間の再選択用パラメータと切替用パラメータとが整合しないと確定する第１の確定サブモジュールと、
前記判断モジュールによる判断の結果として前記割合が閾値を超えていない場合に、前記セル間の再選択用パラメータと切替用パラメータとが整合すると確定する第２の確定サブモジュールと、を含む
ことを特徴とする請求項９に記載のセル間の再選択用パラメータと切替用パラメータとの整合の判断装置。
【請求項１１】
前記確定モジュールにより前記セル間の再選択用パラメータと切替用パラメータとが整合しないと確定された場合に、前記セル間の再選択用パラメータと切替用パラメータとが整合しない旨の指示情報が付加されている通知メッセージを、前記ソース基地局または運用・保守システムに送信する送信モジュールを、
さらに備えることを特徴とする請求項９に記載のセル間の再選択用パラメータと切替用パラメータとの整合の判断装置。
【発明の詳細な説明】
【技術分野】
【０００１】
本発明は、通信分野に関し、具体的には、セル間の再選択用パラメータと切替用パラメータとの整合の判断方法及び装置に関する。
【背景技術】
【０００２】
ＬＴＥ（Ｌｏｎｇ−Ｔｅｒｍ  Ｅｖｏｌｕｔｉｏｎ）ネットワークは、Ｅ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｒａｄｉｏ  Ａｃｃｅｓｓ  Ｎｅｔｗｏｒｋ）基地局（Ｅｖｏｌｖｅｄ  ＮｏｄｅＢ、以下「ｅＮＢ」と略称する）と、ＥＰＣ（Ｅｖｏｌｖｅｄ  Ｐａｃｋｅｔ  Ｃｏｒｅ）から構成され、ネットワークのフラット化が実現される。
Ｅ−ＵＴＲＡＮは、ＥＰＣとＳ１インターフェースを介して接続されるｅＮＢの集合を含み、ｅＮＢ同士は、Ｘ２を介して接続可能である。Ｓ１とＸ２は、論理インターフェースである
。
１つのＥＰＣは、１つまたは複数のｅＮＢを管理することができ、１つのｅＮＢは、複数のＥＰＣにより制御されてもよく、１つまたは複数のセルを管理することができる。
【発明の概要】
【発明が解決しようとする課題】
【０００３】
ところで、自己組織化ネットワーク（Ｓｅｌｆ−Ｏｒｇａｎｉｚｅｄ  Ｎｅｔｗｏｒｋ、以下「ＳＯＮ」と略称する）は、ネットワークの配置と最適化を自動的に行う技術である。
この技術は、自己配置、自己最適化の特徴を有する。
当該技術をＬＴＥに適用することにより、ＬＴＥ基地局（ｅＮＢ）が一定の測定によりネットワークパラメータを自動配置し、ネットワークの変動に応じて自動最適化を行うことで、ネットワークの性能が最適に維持され、労力や物資が大きく省かれる。
【０００４】
ＬＴＥシステムの切替用パラメータの自己最適化について、ネットワークの作動状況、関連の測定に基づいて、一定のアルゴリズムで、セルの再選択と切り替えに関するパラメータを最適化することにより、ネットワークの性能を向上させる必要がある。
ここの切り替えとは、ＬＴＥシステム内部での切り替えと、システム間の切り替えをいう。
システム間の切り替えとは、ＵＴＲＡＮ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｒａｄｉｏ  Ａｃｃｅｓｓ  Ｎｅｔｗｏｒｋ）、ＧＳＭ（Ｇｌｏｂａｌ  ｓｙｓｔｅｍ  ｆｏｒ  Ｍｏｂｉｌｅ  Ｃｏｍｍｕｎｉｃａｔｉｏｎ）、または、ＣＤＭＡ（Ｃｏｄｅ  Ｄｉｖｉｓｉｏｎ  Ｍｕｌｔｉｐｌｅ  Ａｃｃｅｓｓ）システムへの切替をいう。
また、セルの再選択は、システム内部でのセル再選択と、システム間でのセル再選択とを含む。
切り替えの途中で、切替要求メッセージには、ユーザ装置（Ｕｓｅｒ  Ｅｑｕｉｐｍｅｎｔ、以下「ＵＥ」と略称する）の履歴情報が付加されている。
履歴情報には、ＵＥが滞在したセルのセル識別子及びセル種別と、ＵＥが当該セルに滞在した時間長とを含む。
当該時間長とは、ＵＥが接続状態にある時間をいい、すなわち、無線リソース制御（Ｒａｄｉｏ  Ｒｅｓｏｕｒｃｅ  Ｃｏｎｔｒｏｌ、以下「ＲＲＣ」と略称する）の確立が完了してから始まる。
ＵＥの履歴情報は、ネットワーク側の切替決定の参考になることができる。
【０００５】
セルの再選択とは、端末が、セル・ブロードキャストにおけるセル再選択に関するパラメータの情報と、端末の隣接セルに対する測定とに基づいて、セルの再選択を行うことである。
それに対して、切り替えは、ネットワーク側が、端末から報告された本セルと隣接セルの信号品質に基づいて、一定の切替アルゴリズムにより切替の決定を行って、具体的な切替手順を実行するよう端末に通知することにより行われる。
しかし、セル再選択に関するパラメータと切替に関するパラメータとが整合しないと、ＲＲＣの確立が完了した後すぐに切り替えが行われる場合がある。これは、不必要で、なるべく避けるべきことである。
【０００６】
セル再選択に関するパラメータと切替に関するパラメータとが整合するか否かを確定できないという、関連技術の問題に関しては、未だ有効な解決策が提案されていないことである。
【０００７】
本発明は、セル再選択に関するパラメータと切替に関するパラメータとが整合しない場合に、ＲＲＣの確立が完了した後すぐに切り替えが行われる場合があるという問題点に鑑みてなされたもので、上記問題点の少なくとも１つを解決するために、セル間の再選択用パラメータと切替用パラメータとの整合の判断方法及び装置を提供することを主な目的とする。
【課題を解決するための手段】
【０００８】
上記の目的を実現するために、本発明の一態様によれば、ソース基地局とターゲット相手側が管轄するセルの間における端末の切り替えに用いられる、セル間の再選択用パラメータと切替用パラメータとの整合の判断方法が提供される。
【０００９】
本発明によるセル間の再選択用パラメータと切替用パラメータとの整合の判断方法は、ターゲット相手側が、端末が滞在したセルの識別子と当該セルに滞在した時間長とを含む端末の履歴情報が付加されている切替要求メッセージまたは再位置付け要求メッセージを、ソース基地局から受信するステップと、ターゲット相手側が、切替要求メッセージまたは再位置付け要求メッセージに基づいて、無線リソース制御の確立が完了した直後に端末のセル切り替えが行われた割合を集計し、履歴情報に含まれるセル識別子が唯一のものであり、かつ、端末がセルに滞在した時間が所定の時間長よりも短い場合に、無線リソース制御の確立が完了した直後に端末の切り替えが行われたことを確定するステップと、割合が閾値を超えた場合に、ソース基地局とターゲット相手側との間の対応するセル間の再選択用パラメータと切替用パラメータとが整合しないと確定して、割合が閾値を超えていない場合に、セル間の再選択用パラメータと切替用パラメータとが整合すると確定するステップと、を含む。
【００１０】
セル間の再選択用パラメータと切替用パラメータとが整合しないと確定した場合に、ターゲット相手側が、セル間の再選択用パラメータと切替用パラメータとが整合しない旨の指示情報が付加されている通知メッセージを、ソース基地局または運用・保守システムに送信するステップをさらに含むことが好ましい。
【００１１】
ターゲット相手側が、通知メッセージをソース基地局または運用・保守システムに送信した後、ソース基地局または運用・保守システムが、ターゲット相手側からの通知メッセージを受信し、通知メッセージに基づいてセル間の再選択用パラメータ及び／又は切替用パラメータを補正するステップをさらに含むことが好ましい。
【００１２】
所定の時間長は、ソース基地局によりその管轄するソースセルの高速な属性に基づいて設定されることが好ましい。
【００１３】
ターゲット相手側が、ソース基地局から切替要求メッセージまたは再位置付け要求メッセージを受信する前に、ソース基地局が、Ｓ１インターフェースにおけるメッセージ、Ｘ２インターフェースにおけるメッセージ、およびシステム間での通知メッセージのうちの１つを介して所定の時間長をターゲット相手側に通知するステップをさらに含むことが好ましい。
【００１４】
ターゲット相手側は、ターゲット基地局、ターゲット無線ネットワークコントローラ、およびターゲット基地局システムのうちの１つを含むことが好ましい。
【００１５】
ターゲット相手側がターゲット基地局である場合に、ターゲット相手側がソース基地局からの切替要求メッセージを受信することは、ターゲット基地局が、移動管理エンティティを介してソース基地局からの切替要求メッセージを受信することを含むことが好ましい。
【００１６】
ターゲット相手側がターゲット無線ネットワークコントローラである場合に、ターゲット相手側がソース基地局からの再位置付け要求メッセージを受信することは、コアネットワークが、ソース基地局からの切替要求メッセージを受信し、ターゲット無線ネットワークコントローラに再位置付け要求メッセージを送信することと、ターゲット無線ネットワークコントローラがコアネットワークからの再位置付け要求メッセージを受信することと、を含むことが好ましい。
【００１７】
ターゲット相手側がターゲット基地局システムである場合に、ターゲット相手側がソース基地局からの切替要求メッセージを受信することは、ターゲット基地局システムが、コアネットワークを介してソース基地局から切替要求メッセージを受信することを含むことが好ましい。
【００１８】
上記目的を実現するために、本発明の他の態様によれば、ソース基地局とターゲット相手側が管轄するセルの間における端末の切り替えに用いられる、セル間の再選択用パラメータと切替用パラメータとの整合の判断装置が提供される。
【００１９】
本発明によるセル間の再選択用パラメータと切替用パラメータとの整合の判断装置は、端末が滞在したセルの識別子と当該セルに滞在した時間長とを含む端末の履歴情報が付加されている切替要求メッセージまたは再位置付け要求メッセージを、ソース基地局から受信する受信モジュールと、切替要求メッセージまたは再位置付け要求メッセージに基づいて、無線リソース制御の確立が完了した直後に端末のセル切り替えが行われた割合を集計し、履歴情報に含まれるセル識別子が唯一のものであり、かつ、端末がセルに滞在した時間が所定の時間長よりも短い場合に、無線リソース制御の確立が完了した直後に端末の切り替えが行われたことを確定する集計モジュールと、集計モジュールにより集計された、無線リソース制御の確立が完了した直後に端末のセル切り替えが行われた割合が閾値を超えたかを判断する判断モジュールと、判断モジュールによる判断結果に基づいて、ソース基地局とターゲット相手側との間のセル間の再選択用パラメータと切替用パラメータとが整合するかを確定する確定モジュールと、を備える。
【００２０】
前記確定モジュールは、判断モジュールによる判断の結果として、割合が閾値を超えた場合に、セル間の再選択用パラメータと切替用パラメータとが整合しないと確定する第１の確定サブモジュールと、判断モジュールによる判断の結果として、割合が閾値を超えていない場合に、セル間の再選択用パラメータと切替用パラメータとが整合すると確定する第２の確定サブモジュールと、を含むことが好ましい。
【００２１】
前記判断装置は、確定モジュールによりセル間の再選択用パラメータと切替用パラメータとが整合しないと確定された場合に、セル間の再選択用パラメータと切替用パラメータとが整合しない旨の指示情報が付加されている通知メッセージを、ソース基地局または運用・保守システムに送信する送信モジュールをさらに備えることが好ましい。
【発明の効果】
【００２２】
本発明によれば、ＲＲＣの確立が完了した直後に端末の切替が行われた割合が閾値を超えたかを判断して、判断の結果に基づいてセル間の再選択に関するパラメータと切替に関するパラメータとが整合するかを判定することにより、セル間の再選択および切替に関するパラメータの最適化に有力な根拠を提供して、セル間の再選択用パラメータと切替に関するパラメータとが整合するかを判定できないという問題を解決して、さらにネットワーク性能の向上のために基礎を打ち立てる。
ここで説明する図面は、本発明を理解させるためのものであり、本発明の一部を構成し、本発明における実施例と共に本発明を解釈するためのものであって、本発明を不当に限定するものではない。図面において、
【図面の簡単な説明】
【００２３】
【図１】本発明の実施例に係るセル間の再選択用パラメータと切替用パラメータとの整合の判断方法の流れ図である。
【図２】本発明の実施例に係るＬＴＥシステムにおいてＸ２インターフェースを介して切り替えるための切替要求を示す図である。
【図３】本発明の実施例に係るＬＴＥシステムにおいてＳ１インターフェースを介して切り替えるための切替要求を示す図である。
【図４】本発明の実施例に係るＬＴＥシステムからＵＴＲＡＮシステムへ切り替えるための切替要求を示す図である。
【図５】本発明の実施例に係るＬＴＥシステムからＧＳＭシステムへ切り替えるための切替要求を示す図である。
【図６】本発明の実施例に係るセル間の再選択用パラメータと切替用パラメータとの整合の判断装置の構成を示すブロック図である。
【図７】本発明の実施例に係るセル間の再選択用パラメータと切替用パラメータとの整合の判断装置の詳細構成を示すブロック図である。
【発明を実施するための形態】
【００２４】
以下、図面を参照しながら、本発明の詳細な実施例を説明する。
【００２５】
［機能概略］
本発明の実施例は、関連技術においてセル間の再選択に関するパラメータと切替に関するパラメータとが整合しない場合に、ＲＲＣの確立が完了した後すぐに切り替えが行われる場合があるという問題に鑑みて、ＲＲＣの確立が完了した後にすぐ行われた切り替えを、ターゲット相手側により切替要求メッセージまたは再位置付け（ｒｅｌｏｃａｔｉｏｎ）要求メッセージに基づいて判断して、判断結果に基づいて、セル間の再選択に関するパラメータと切替に関するパラメータとが整合するかを取得し、これにより切り替えとセル再選択に関するパラメータを最適化し、ネットワークの性能を向上させる、セル間の再選択用パラメータと切替用パラメータとが整合するかを判断する方法および装置を提供するものである。
【００２６】
なお、本願の実施例および実施例の特徴は、衝突がない場合には、互いに組み合わせることが可能である。
以下、図面を参照しながら、実施例により本発明を詳細に説明する。
【００２７】
［方法の実施例］
なお、図面の流れ図に示したステップは、コンピュータが実行可能な１組の命令のようなコンピュータシステムに実行してもよい。
流れ図にはその論理的手順が示されているが、ある場合には、ここで示された又は説明されたステップを、この手順と異なる順に実行してもよい。
【００２８】
本発明の実施例によれば、ソース基地局とターゲット相手側が管轄するセルとの間における端末の切り替えに用いられる、セル間の再選択用パラメータと切替用パラメータとの整合の判断方法が提供される。
図１は、本発明の実施例に係るセル間の再選択用パラメータと切替用パラメータとの整合の判断方法の流れ図である。
この流れは、図１に示すように、以下のステップＳ１０２〜ステップＳ１０４を含む。
【００２９】
ステップＳ１０２において、ターゲット相手側は、端末が滞在したセルの識別子と当該セルに滞在した時間長とを含む端末の履歴情報が付加されている切替要求メッセージまたは再位置付け要求メッセージを、ソース基地局から受信する。
【００３０】
ステップＳ１０４において、ターゲット相手側は、切替要求メッセージまたは再位置付け要求メッセージに基づいて、ＲＲＣの確立が完了した直後に端末のセル切り替えが行われた割合が閾値を超えたかを集計し、閾値を超えている場合にはステップＳ１０６を実行し、閾値を超えていない場合にはステップＳ１０８を実行する。
【００３１】
履歴情報に含まれるセル識別子が唯一のものであり、かつ、端末がセルに滞在した時間が所定の時間長よりも短い場合、ＲＲＣの確立が完了した直後に端末の切り替えが行われたことを確定する。
すなわち、端末の履歴情報にセルが１つしかない場合に、当該切替要求メッセージのソースセルは、端末が空き状態から接続状態になる１番目のセルであり、すなわち、ＲＲＣの確立の開始時に位置するセルであることが示されている。
履歴情報において、端末が当該唯一のセルに滞在した時間が短い場合には、ＲＲＣの確立が完了すると切替要求が送信されることが示されている。
【００３２】
ステップＳ１０６において、ＲＲＣの確立が完了した直後のセルの切替が行われた割合が閾値を超えた場合に、ソース基地局とターゲット相手側とのセル間の再選択用パラメータと切替用パラメータとが整合しないと確定する。
【００３３】
ステップＳ１０８において、ＲＲＣの確立が完了した直後のセルの切替が行われた割合が閾値を超えていない場合に、ソース基地局とターゲット相手側とのセル間の再選択用パラメータと切替用パラメータとが整合すると確定する。
【００３４】
上述したステップＳ１０２〜ステップＳ１０８から分かるように、ＬＴＥシステムにおいて、ＵＥが、ソース基地局とターゲット基地局のセルの間で切り替えられる際に、切替要求メッセージに端末の履歴情報が含まれ、ターゲット基地局は、この履歴情報に含まれる、端末が唯一のセルに滞在した時間長を用いて、セル再選択に関するパラメータと切り替えに関するパラメータとが整合するかを判断することができ、所定の量の切替要求メッセージを集計し、切替要求メッセージに含まれる滞在時間がある閾値より短い割合が高い場合に、ソースセルからターゲットセルまでのセル間の再選択用パラメータの設定が適切でなく、セル再選択に関するパラメータと切替に関するパラメータとが整合しなく、最適化処理が必要であると考える。
同様に、システム間の切替の場合には、ターゲット側が受信した切替要求メッセージにおける端末の履歴情報に含まれる、唯一のセルに滞在した時間が短すぎると、所定の量の切替要求メッセージを集計し、切替要求メッセージに含まれる滞在時間がある閾値より短い割合が高い場合に、ソースセルからターゲットセルまでのセル間の再選択用パラメータの設定が適切でなく、セル再選択に関するパラメータと切替に関するパラメータとが整合しないと考える。
上記閾値は、システムにより設定することができる。
【００３５】
ターゲット相手側は、セル間の再選択用パラメータと切替用パラメータとが整合しないと確定した場合に、セル間の再選択用パラメータと切替用パラメータとが整合しない旨の指示情報が付加されている通知メッセージを、ソース基地局または運用・保守（Ｏｐｅｒａｔｉｏｎｓ  Ａｎｄ  Ｍａｉｎｔｅｎａｎｃｅ、以下「ＯＡＭ」と略称する）システムに送信する。
ソース基地局またはＯＡＭシステムは、ターゲット相手側からの通知メッセージを受信し、この通知メッセージに基づいてセル間の再選択用パラメータ及び／又は切替用パラメータを補正する。
すなわち、ターゲット側は、関連パラメータをさらに補正することにより切替性能を最適化するように、ターゲットセルとソースセルの再選択用パラメータと対応する切替用パラメータとが整合しない旨を、ソース基地局またはＯＡＭシステムに通知する。
【００３６】
ターゲット相手側がソース基地局からの切替要求メッセージまたは再位置付け要求メッセージを受信して集計する前に、ソース基地局は、Ｓ１インターフェースにおけるメッセージ、Ｘ２インターフェースにおけるメッセージ、または、システム間での通知メッセージを介して、ソース基地局がその管轄するソースセルの高速な属性に基づいて設定した所定の時間長を、ターゲット相手側に通知する。
【００３７】
ターゲット相手側は、ターゲット基地局、ターゲット無線ネットワークコントローラ、ターゲット基地局システムのうちの１つを含むことができる。
ターゲット相手側がターゲット基地局である場合、ターゲット基地局は、移動管理エンティティ（Ｍｏｂｉｌｅ  Ｍａｎａｇｅｍｅｎｔ  Ｅｎｔｉｔｙ、以下「ＭＭＥ」と略称する）を介してソース基地局からの切替要求メッセージを受信する。
ターゲット相手側がターゲット無線ネットワークコントローラである場合、コアネットワーク（Ｃｏｒｅ  Ｎｅｔｗｏｒｋ、以下「ＣＮ」と略称する）は、ソース基地局からの切替要求メッセージを受信し、ターゲット無線ネットワークコントローラに再位置付け要求メッセージを送信して、ターゲット無線ネットワークコントローラは、この再位置付け要求メッセージを受信する。
ターゲット相手側がターゲット基地局システムである場合、ターゲット基地局システムは、ＣＮを介してソース基地局から切替要求メッセージを受信する。
【００３８】
本実施例では、ＲＲＣの確立が完了した直後に端末の切替が行われた割合が閾値を超えたかを判断し、判断の結果に基づいて、セル間の再選択に関するパラメータと切替に関するパラメータとが整合するかを確定することにより、セル間の再選択および切替に関するパラメータの最適化に有力な根拠を提供して、セル間の再選択用パラメータと切替に関するパラメータとが整合するかを確定できないという問題を解決して、さらにネットワーク性能の向上のために基礎を打ち立てる。
【００３９】
以下、実例を参照しながら、本発明の実施例の実現過程について詳細に説明する。
【００４０】
[実施例１]
図２は、本発明の実施例に係るＬＴＥシステムにおいてＸ２インターフェースを介して切り替えるための切替要求を示す図である。
【００４１】
図２に示すように、
（１）ＵＥは、ｅＮＢ１の管轄するセルＣｅｌｌ１において接続状態にあり、ｅＮＢ１は、ＵＥによる測定に基づいて、ターゲットセルであるｅＮＢ２の管轄するセルＣｅｌｌ２への切り替えを発起することに決定したことを報告して、ｅＮＢ１は、Ｘ２インターフェースを介してｅＮＢ２への切替要求メッセージを送信する。
このメッセージには、ＵＥが滞在したセルの識別子と当該セルに滞在した時間長とが含まれるＵＥの履歴情報を含む。
（２）ｅＮＢ２は、ｅＮＢ１から送信された切替要求メッセージを受信すると、この切替要求メッセージに含まれるＵＥの履歴情報を記憶して、当該履歴情報に１つのセルしかなく、かつ、ＵＥがこのセルに滞在した時間が所定の時間長よりも短い場合に、ＲＲＣの確立が完了した後すぐにＵＥの切り替えが行われたことを判断する。
（３）ｅＮＢ２は、所定時間内のＣｅｌｌ１からＣｅｌｌ２への切替要求メッセージを集計し、ＲＲＣの確立の完了後すぐにこの一対のセルの間でＵＥの切り替えた割合が所定の割合になる場合に、Ｃｅｌｌ１とＣｅｌｌ２との間のセル再選択用パラメータと対応する切替用パラメータとが整合しないと判断する。
例えば、ｅＮＢ２は、１時間内のＣｅｌｌ１からＣｅｌｌ２への切替要求メッセージの数を１０として集計した場合、予め設定された、１時間内の切替要求メッセージの基準数が４０であるため、当該期間に、この一対のセルの間で切替が行われた割合が２５％となる。
閾値が７０％である場合、Ｃｅｌｌ１とＣｅｌｌ２との間のセル再選択用パラメータと対応する切替用パラメータとが整合すると判定する。
（４）ｅＮＢ２は、関連パラメータをさらに補正することにより切替性能を最適化するように、Ｃｅｌｌ１とＣｅｌｌ２との間のセル再選択用パラメータと対応する切替用パラメータとが整合しない旨を、ｅＮＢ１またはＯＡＭシステムに通知する。
【００４２】
本実施例のｅＮＢ２は、所定時間内のＣｅｌｌ１からＣｅｌｌ２への切替要求メッセージを集計し、さらにセル間の再選択に関するパラメータと切替に関するパラメータとが整合するかを確定することにより、セル間の再選択および切替に関するパラメータの最適化に有力な根拠を提供し、セル間の再選択用パラメータと切替に関するパラメータとが整合するかを確定できないという問題を解決して、さらにネットワーク性能の向上のために基礎を打ち立てる。
【００４３】
[実施例２]
図３は、本発明の実施例に係るＬＴＥシステムにおいてＳ１インターフェースを介して切り替えるための切替要求を示す図である。
【００４４】
図３に示すように、
（１）ＵＥは、ｅＮＢ１の管轄するセルＣｅｌｌ１において接続状態にあり、ｅＮＢ１は、ＵＥによる測定に基づいて、ターゲットセルであるｅＮＢ２の管轄するセルＣｅｌｌ２への切り替えを発起することに決定したことを報告し、Ｓ１インターフェースを介してｅＮＢ２への切替要求メッセージを送信する。
このメッセージには、ＵＥが滞在したセルの識別子と当該セルに滞在した時間長とが含まれるＵＥの履歴情報を含む。ＭＭＥは、この切替要求メッセージをｅＮＢ２に送信する。
（２）ｅＮＢ２は、ＭＭＥから送信された切替要求メッセージを受信すると、この切替要求メッセージに含まれるＵＥの履歴情報を記憶して、当該履歴情報に１つのセルしかなく、かつ、ＵＥがこのセルに滞在した時間が所定の時間長よりも短い場合に、ＲＲＣの確立が完了した後すぐにＵＥの切り替えが行われたことを判断する。
（３）ｅＮＢ２は、所定時間内のＣｅｌｌ１からＣｅｌｌ２への切替要求メッセージを集計し、ＲＲＣの確立の完了後すぐにこの一対のセルの間でＵＥの切り替えた割合が所定の割合になる場合に、Ｃｅｌｌ１とＣｅｌｌ２との間のセル再選択用パラメータと対応する切替用パラメータとが整合しないと判定する。
（４）ｅＮＢ２は、関連パラメータをさらに補正することにより切替性能を最適化するように、Ｃｅｌｌ１とＣｅｌｌ２との間のセル再選択用パラメータと対応する切替用パラメータとが整合しない旨を、ｅＮＢ１またはＯＡＭシステムに通知する。
【００４５】
本実施例のｅＮＢ２は、所定時間内のＣｅｌｌ１からＣｅｌｌ２への切替要求メッセージを集計し、さらにセル間の再選択に関するパラメータと切替に関するパラメータとが整合するかを確定することにより、セル間の再選択および切替に関するパラメータの最適化に有力な根拠を提供し、セル間の再選択用パラメータと切替に関するパラメータとが整合するかを確定できないという問題を解決して、ネットワーク性能の向上のために基礎を打ち立てる。
【００４６】
[実施例３]
図４は、本発明の実施例に係るＬＴＥシステムからＵＴＲＡＮシステムへ切り替えるための切替要求を示す図である。
【００４７】
図４に示すように、
（１）ＵＥは、ｅＮＢ１の管轄するセルＣｅｌｌ１において接続状態にあり、ｅＮＢ１は、ＵＥによる測定に基づいて、ターゲットセルである無線ネットワークコントローラ（Ｒａｄｉｏ  Ｎｅｔｗｏｒｋ  Ｃｏｎｔｒｏｌｌｅｒ、以下「ＲＮＣ」と略称する）２の管轄するセルＣｅｌｌ２への切り替えを発起することに決定したことを報告し、Ｓ１インターフェースを介してＲＮＣ２への切替要求メッセージを送信する。
この切替要求メッセージには、ＵＥが滞在したセルの識別子と当該セルに滞在した時間長とが含まれるＵＥの履歴情報を含む。
この切替要求メッセージは、ｅＮＢ１からＣＮに送信されて、ＣＮからＲＮＣ２に送信される。
（２）ＲＮＣ２は、ＣＮから送信された再位置付け要求メッセージを受信すると、この切替要求メッセージに含まれるＵＥの履歴情報を記憶して、当該履歴情報に１つのセルしかなく、かつ、ＵＥがこのセルに滞在した時間が所定の時間長よりも短い場合に、ＲＲＣの確立が完了した後すぐにＵＥの切り替えが行われたことを判断する。
（３）ＲＮＣ２は、所定時間内のＣｅｌｌ１からＣｅｌｌ２への切替要求メッセージを集計し、ＲＲＣの確立の完了後すぐにこの一対のセルの間でＵＥの切り替えた割合が所定の割合になる場合に、Ｃｅｌｌ１とＣｅｌｌ２との間のセル再選択用パラメータと対応する切替用パラメータとが整合しないと判定する。
（４）ＲＮＣ２は、関連パラメータをさらに補正することにより切替性能を最適化するように、Ｃｅｌｌ１とＣｅｌｌ２との間のセル再選択用パラメータと対応する切替用パラメータとが整合しない旨を、ｅＮＢ１またはＯＡＭシステムに通知する。
【００４８】
本実施例のＲＮＣ２は、所定時間内のＣｅｌｌ１からＣｅｌｌ２への切替要求メッセージを集計し、さらにセル間の再選択に関するパラメータと切替に関するパラメータとが整合するかを確定することにより、セル間の再選択および切替に関するパラメータの最適化に有力な根拠を提供して、セル間の再選択用パラメータと切替に関するパラメータとが整合するかを確定できないという問題を解決して、ネットワーク性能の向上のために基礎を打ち立てる。
【００４９】
[実施例４]
図５は、本発明の実施例に係るＬＴＥシステムからＧＳＭシステムへ切り替えるための切替要求を示す図である。
【００５０】
図５に示すように、
（１）ＵＥは、ｅＮＢ１の管轄するセルＣｅｌｌ１において接続状態にあり、ｅＮＢ１は、ＵＥによる測定に基づいて、ターゲットセルである基地局システム（Ｂａｓｉｃ  Ｓｔａｔｉｏｎ  Ｓｙｓｔｅｍ、以下「ＢＳＳ」と略称する）２の管轄するセルＣｅｌｌ２への切り替えを発起することに決定したことを報告して、Ｓ１インターフェースを介してｅＮＢ２への切替要求メッセージを送信する。
この切替要求メッセージは、ｅＮＢ１からＣＮに送信されてＣＮからＢＳＳ２に送信される。
この切替要求メッセージには、ＵＥが滞在したセルの識別子と当該セルに滞在した時間長とが含まれるＵＥの履歴情報を含む。
（２）ＢＳＳ２は、ＣＮから送信された切替要求メッセージを受信すると、この切替要求メッセージに含まれるＵＥの履歴情報を記憶して、当該履歴情報に１つのセルしかなく、かつ、ＵＥがこのセルに滞在した時間が所定の時間長よりも短い場合に、ＲＲＣの確立が完了した後すぐにＵＥの切り替えが行われたことを判断する。
（３）ＢＳＳ２は、所定時間内のＣｅｌｌ１からＣｅｌｌ２への切替要求メッセージを集計し、ＲＲＣの確立の完了後すぐにこの一対のセルの間でＵＥの切り替えた割合が所定の割合になる場合に、Ｃｅｌｌ１とＣｅｌｌ２との間のセル再選択用パラメータと対応する切替用パラメータとが整合しないと判定する。
（４）ＢＳＳ２は、関連パラメータをさらに補正することにより切替性能を最適化するように、Ｃｅｌｌ１とＣｅｌｌ２との間のセル再選択用パラメータと対応する切替用パラメータとが整合しない旨を、ｅＮＢ１またはＯＡＭシステムに通知する。
【００５１】
本実施例のＢＳＳ２は、所定時間内のＣｅｌｌ１からＣｅｌｌ２への切替要求メッセージを集計し、セル間の再選択に関するパラメータと切替に関するパラメータとが整合するかを確定することにより、セル間の再選択および切替に関するパラメータの最適化に有力な根拠を提供して、セル間の再選択用パラメータと切替に関するパラメータとが整合するかを確定できないという問題を解決して、さらにネットワーク性能の向上のために基礎を打ち立てる。
【００５２】
なお、上述した実施例における所定の時間長は、ｅＮＢ１によりセルＣｅｌｌ１の高速な属性に基づいて設定されることができ、Ｓ１インターフェースまたはＸ２インターフェースにおけるメッセージを介してｅＮＢ２に通知されるか、システム間でのメッセージを介してＲＮＣ２またはＢＳＳ２に通知されることができる。
【００５３】
上述した実施例によれば、セル間の再選択用パラメータと切替用パラメータとの不整合を精確に判断することができ、これにより、具体的なパラメータを最適化することができ、不要な切り替えを低減し、ネットワークの性能を向上させ、ネットワークの自己最適化機能を実現することができる。
【００５４】
[装置の実施例]
本発明の実施例によれば、セル再選択用パラメータと切替用パラメータとの整合の判断装置が提供される。
図６は、本発明の実施例に係るセル間の再選択用パラメータと切替用パラメータとの整合の判断装置の構成を示すブロック図である。
この装置は、図６に示すように、受信モジュール６０と、集計モジュール６２と、判断モジュール６６と、確定モジュール６８とを備える。以下は、これらの構成について説明する。
【００５５】
受信モジュール６０は、端末が滞在したセルの識別子と当該セルに滞在した時間長とを含む端末の履歴情報が付加されている切替要求メッセージまたは再位置付け要求メッセージを、ソース基地局から受信する。
集計モジュール６２は、受信モジュール６０に接続され、前記切替要求メッセージまたは再位置付け要求メッセージに基づいて、無線リソース制御（ＲＲＣ）の確立が完了した直後に端末のセル切り替えが行われた割合を集計し、履歴情報に含まれるセル識別子が唯一のものであり、かつ、端末がセルに滞在した時間が所定の時間長よりも短い場合、ＲＲＣの確立が完了した直後に端末の切り替えが行われたことを確定する。
【００５６】
判断モジュール６６は、集計モジュール６２に接続され、集計モジュール６２により集計された、ＲＲＣの確立が完了した直後に端末のセル切り替えが行われた割合が閾値を超えたかを判断する。
確定モジュール６８は、判断モジュール６６に接続され、判断モジュール６６による判断結果に基づいて、ソース基地局とターゲット相手側とのセル間の再選択用パラメータと切替用パラメータとが整合するかを確定する。
【００５７】
本実施例の装置は、判断モジュール６６が、ＲＲＣの確立が完了した直後に端末の切替が行われた割合が閾値を超えたかを判断して、さらに、確定モジュール６８が、セル間の再選択に関するパラメータと切替に関するパラメータとが整合するかを確定することにより、セル間の再選択および切替に関するパラメータの最適化に有力な根拠を提供して、セル間の再選択用パラメータと切替に関するパラメータとが整合するかを確定できないという問題を解決して、ネットワーク性能の向上のために基礎を打ち立てる。
【００５８】
図７は、本発明の実施例に係るセル間の再選択用パラメータと切替用パラメータとの整合の判断装置の詳細構成を示すブロック図である。
図７に示すように、上記確定モジュール６８は、第１の確定サブモジュール７２と、第２の確定サブモジュール７４とを含む。
【００５９】
第１の確定サブモジュール７２は、判断モジュール６６に接続され、判断モジュール６６による判断の結果として、割合が閾値を超えた場合に、セル間の再選択用パラメータと切替用パラメータとが整合しないと確定する。
第２の確定サブモジュール７４は、判断モジュール６６に接続され、判断モジュール６６による判断の結果として、割合が閾値を超えていない場合に、セル間の再選択用パラメータと切替用パラメータとが整合すると確定する。
【００６０】
図７に示すように、上記装置は、送信モジュール７６をさらに備える。
【００６１】
送信モジュール７６は、確定モジュール６８における第１の確定サブモジュール７２に接続され、確定モジュール６８により、セル間の再選択用パラメータと切替用パラメータとが整合しないと確定された場合に、セル間の再選択用パラメータと切替用パラメータとが整合しない旨の指示情報が付加されている通知メッセージを、ソース基地局またはＯＡＭシステムに送信する。
【００６２】
ソース基地局またはＯＡＭシステムは、ターゲット相手側からの通知メッセージを受信し、この通知メッセージに基づいてセル間の再選択用パラメータ及び／又は切替用パラメータを補正する。
【００６３】
上述したように、本発明の上記実施例によれば、セル間の再選択用パラメータと切替用パラメータとの不整合を精確に判断することができ、これにより、具体的なパラメータを最適化することができ、ネットワークの自己最適化機能を実現し、ネットワークの性能を向上させることができる。
【００６４】
なお、上述した本発明の各モジュールまたはステップは、汎用のコンピュータ装置により実現することができ、単一のコンピュータ装置に集中して配置されてもよく、複数のコンピュータ装置からなるネットワークに配置されてもよい。
また、コンピュータ装置が実行可能なプログラムコードにより実現されてもよい。これにより、記憶装置に記憶されてコンピュータ装置により実行される。
或いは、それぞれを各々の集積回路モジュールに作成するか、それらの中の複数のモジュールまたはステップを単一の集積回路モジュールに作成することにより実現することができる。
このように、本発明は、いずれの特定のハードウェアとソフトウェアの組み合わせにも限定されない。
【００６５】
以上は、本発明の好適な実施例に過ぎず、本発明を限定するものではない。当業者であれば本発明に様々な修正や変形が可能である。本発明の要旨や原則内での如何なる修正、置換、改良などは本発明の保護範囲内に含まれる。
【図１】
0005454822.tif 000002
【図２】
0005454822.tif 000003
【図３】
0005454822.tif 000004
【図４】
0005454822.tif 000005
【図５】
0005454822.tif 000006
【図６】
0005454822.tif 000007
【図７】
0005454822.tif 000008